(57)【要約】【課題】眼鏡を、そのレンズを保護しつつ薄く折り畳めるようにすること。【解決手段】レンズ面（２０，２０ａ）に対してほぼ平行に沿って外側に延び前記テンプルに連結可能な対の回動フレーム（４０、４０ａ）がそれぞれ眼鏡のフロント部のブリッジ部（５０）又はワタリ部に互いに連動して回動する様に装着され、レンズ正面から見て水平方向に対して上方へ９０度、下方へ９０度、好ましくはレンズ正面から見て水平方向から下方に６０度の範囲内で回動可能にされ、眼鏡が装着使用状態であるほぼ水平方向から下方に回動され停止状態に保持される事により前記回動フレームがレンズを保護するようになり、且つ、前記回動フレームがテンプル（３０，３０ａ）にヒンジ結合され、前記回動フレームがほぼ水平方向から下方に回動され停止状態に保持されてテンプルが折り畳まれた時、嵩が薄く小さくなるようにした。【選択図】図１
2006293158.tif 000002
【特許請求の範囲】
【請求項１】
フロント部に少なくとも一枚以上のレンズを有し、該フロント部の側部から後方に延びる対のテンプルを有する眼鏡に於いて、レンズ面に対してほぼ平行に沿って外側に延び前記テンプルに連結可能な対の回動フレームがそれぞれ眼鏡のフロント部に装着され、レンズ正面から見て水平方向に対して上方へ９０度、下方へ９０度の範囲内で回動可能にされたことを特徴とする、眼鏡。
【請求項２】
前記対の回動フレームが、好ましくはレンズ正面から見て水平方向から下方に６０度の範囲で下方に回動可能にされた事を特徴とする、請求項１に記載の眼鏡。
【請求項３】
前記対の回動フレームが互いに連動して回動する様にされたことを特徴とする、請求項１又は２のいずれか１項に記載の眼鏡。
【請求項４】
前記回動フレームが回動する際には少なくともレンズ面と接触しないようにされた事を特徴とする、請求項１から３のいずれか１項に記載の眼鏡。
【請求項５】
前記回動フレームが装着される眼鏡のフロント部が、眼鏡のブリッジ部分又はワタリ部分である事を特徴とする、請求項１から４の何れか１項に記載の眼鏡。
【請求項６】
前記回動フレームが少なくとも二箇所で停止可能で、且つその二箇所の停止箇所に於いて眼鏡フロント部が保持可能にされた事を特徴とする、請求項１から５項の何れか１項に記載の眼鏡。
【請求項７】
前記回動フレームが、眼鏡が装着使用状態であるほぼ水平方向から下方に回動され停止状態に保持される事により前記回動フレームがレンズ面を保護するようにされた事を特徴とする、請求項１から６の何れか１項に記載の眼鏡。
【請求項８】
前記回動フレームがテンプルにヒンジ結合され、前記回動フレームがほぼ水平方向から下方に回動され停止状態に保持され、テンプルが折り畳まれた時、嵩が薄く横幅が小さくなるようにされた事を特徴とする、請求項１から７の何れか１項に記載の眼鏡。
【発明の詳細な説明】
【技術分野】
【０００１】
本発明は、眼鏡のレンズ面を保護し、且つ嵩が小さく、幅も小さく折り畳める眼鏡に関する。
【背景技術】
【０００２】
従来、眼鏡のレンズ面を保護する眼鏡としては、特許第３０８７１７５号や実開昭６１−４６４２３号が提案されている。
【０００３】
又、嵩が薄く小さく折り畳める眼鏡としては、実公昭６０−１４２４７号が提案されている。
【０００４】
【特許文献１】特許第３０８７１７５号
【特許文献２】実開昭６１−４６４２３号
【特許文献３】実公昭６０−１４２４７号
【発明の開示】
【発明が解決しようとする課題】
【０００５】
しかし、上記特許第３０８７１７５号や実開昭６１−４６４２３号に於いては折り畳んだ時に嵩張ってしまい収納性がよくなかった。
【０００６】
又、上記実公昭６０−１４２４７号に於いては、確かに嵩が薄く折り畳めるが、レンズ表裏面ともに傷が付き易い構造となってしまっていた。
【課題を解決するための手段】
【０００７】
そこで本発明に於いては、上記課題を解決する為に、先ず、フロント部に少なくとも一枚以上のレンズを有し、該フロント部の側部から後方に延びる対のテンプルを有する眼鏡に於いて、レンズ面に対してほぼ平行に沿って外側に延び前記テンプルに連結可能な対の回動フレームがそれぞれ眼鏡のフロント部に装着され、レンズ正面から見て水平方向に対して上方へ９０度、下方へ９０度、好ましくは、レンズ正面から見て水平方向から下方に６０度の範囲内で回動可能にされたことを特徴とする眼鏡の提供を図り、更に前記回動フレームが連動して回動出来る様にし、且つ、レンズ面に接触しないようにした。
【０００８】
又、前記回動フレームがフロント部のブリッジ部又はワタリ部に設けられても良く、前記回動フレームが少なくとも二箇所で停止可能でフロント部を保持可能で、下方に回動させられた状態でレンズの保護が可能で、且つ、嵩張らずに折りたためる様にした。
【発明の効果】
【０００９】
本発明によると、テンプルを折り畳んだ場合、横方向の幅を小さく出来、嵩も小さく出来、そして、眼鏡のレンズ面の保護がしっかり行え、携帯にも便利で、サングラスは勿論、矯正用のレンズを使用する眼鏡にも大いに有効である。
【発明を実施するための最良の形態】
【００１０】
フロント部に少なくとも一枚以上のレンズを有し、該フロント部の側部から後方に延びる対のテンプルを有する眼鏡に於いて、レンズ面に対してほぼ平行に沿って外側に延び前記テンプルに連結可能な対の回動フレームがそれぞれ眼鏡のフロント部のブリッジ部又はワタリ部に互いに連動して回動する様に装着され、レンズ正面から見て水平方向に対して上方へ９０度、下方へ９０度、好ましくはレンズ正面から見て水平方向から下方に６０度の範囲内で回動可能にされ、眼鏡が装着使用状態であるほぼ水平方向から下方に回動され停止状態に保持される事により前記回動フレームがレンズを保護するようになり、且つ、前記回動フレームがテンプルにヒンジ結合され、前記回動フレームがほぼ水平方向から下方に回動され停止状態に保持されてテンプルが折り畳まれた時、嵩が薄く小さくなるようにされた事を特徴とする眼鏡。以下図によって説明する。
【実施例】
【００１１】
図１は本発明の実施例のフロント部全体の斜視図であり、フロント部１０にレンズ２０、２０ａを有し、そして、該フロント部の側部から後方に延びる対のテンプル３０，３０ａを有する眼鏡に於いて、レンズ面に対してほぼ平行に沿って外側に延び前記テンプルに連結可能な対の回動フレーム４０，４０ａがそれぞれ眼鏡のフロント部であるブリッジ部５０に装着されている。そして、レンズ正面から見て水平方向に対して約６０度内の下方に連動して回動可能にされ、水平方向の場合と下方に下げた場合に於いてその状態を保持出来る様子を表している。この場合この眼鏡は固い縁を有する眼鏡、ハーフリムタイプの眼鏡、リムレスタイプの眼鏡、一枚レンズタイプの眼鏡の何れであっても構わない。又、テンプル３０、３０ａと回動フレーム４０、４０ａの連結は一体的に設けられたインテグラルヒンジ形式の場合でも勿論構わない。又、前記回動フレームがフロント部ブリッジの裏面に設けられて良い。
【００１２】
図２は図１の正面図であり、この場合、ブリッジ部５０に装着された回動フレーム４０、４０ａは、眼鏡を掛けている場合はほぼ水平になった状態が保持されるようにされている。そして前記回動フレームが約６０度以内の角度で回動しほぼレンズ２０、２０ａの半分位の所で停止可能とし、その停止状態を保持出来るようにもされている。
【００１３】
図３はその平面図である。図４はテンプル３０，３０ａを折り畳んだ場合の背面図である。図５は従来の眼鏡のテンプルを折り畳んだ場合の平面図であり、テンプル３０ｂ、３０ｃを折り畳むとテンプル同士が互いに干渉し合うと共にレンズ縁２１，２１ａや鼻パッド部分６１，６１ａにも掛かり、薄く折り畳めない。そこで本発明の実施例である図４からも解るように、回動フレーム４０，４０ａを下方に下げてテンプル３０、３０ａを折り畳むと互いに干渉せずに折り畳むことが出来、又鼻パッド部分６０，６０ａにも決して重なり合わない。
【００１４】
図６は図４の平面図であり、嵩ｎは図５の従来の眼鏡の嵩ｍよりも小さくて済み、又横幅ｊは従来の眼鏡の横幅ｋよりも両方のヨロイ７０、７０ａの分短くて済む。
【００１５】
次に図７は本発明の眼鏡の回動テンプルを下方へ回動し下げた状態で折り畳んで机上等Ｓ１、Ｓ２に置いた場合を表しており、レンズ表面２２が傷を付くのをしっかり防いでいる。
【００１６】
図８から図１４は前記ブリッジ部分に設けられた回動フレームの連動する回動機構の例を説明してあるが勿論本発明はこの図示してある機構のみに限定される物ではない。
【００１７】
図８は、回動フレーム４０ｂ、４０ｃを回動させたい角度αと同じ角度αだけ端部に斜めに切り込みＣを入れ、両回動軸部分Ｑ、Ｑ１間にバネ７０が設けられた状態を表している。この場合バネは板バネでもコイルバネでも弾性又は超弾性を有する金属であっても良い。この場合バネ７０の力で回動フレーム４０，４０ａが水平方向、即ち眼鏡を装着する場合と、回動フレーム４０，４０ａが下方に回動された場合のその状態を保持出来る。しかも連動して回動可能となる。ここで連動する事が好ましいが、連動しなくて設けられても良い。
【００１８】
図９は図８の反対側の図であり、バネ７０が伸縮可能ように長円形の穴７１が設けられている。
【００１９】
図１０は、図８及び図９の変化例図であり、このように、ブリッジ部分又はワタリ部分５１の背後に回動機構部分を配する事により、眼鏡フロント部分がデザイン的にスッキリする。この場合回動フレーム４０ｄ、４０ｅは回動素子４２、４２ａにロウ付け等で固着されており、その屈曲自由端部４３、４３ａはバネ７０ａに遊嵌されている。ここでこの回動素子は、上記図８の回動フレーム４０ｆ、４０ｇの端部とほぼ同じ構造をしたものである。
【００２０】
図１１、及び図１２も図８及び図９の他の変化例図であり、このように回動部分を覆ってしまう方法によりデザイン的にフロント部をスッキリさせる事も出来る。
【００２１】
又図１３に示したように、ギアＧを回動フレーム４０ｆ，４０ｇ端部に設け上部又は下部にバネ７０ｃを配し、ストッパーとして用いても良い。
【００２２】
上記場合は、何れも左右の回動フレームのそれぞれに軸を設けた場合を表しているが、図１４の様に同じ軸Ｊ上に両回動フレーム４０ｈ，４０ｋを設けた場合の例も可能である。
【００２３】
上記図１４の場合は、両回動フレーム端部内側に突起４４，４４ａを設け、その回動フレーム４０ｈ，４０ｋの間に回動用ガイド補助板Ｔを設けて協働して回動する様に設けた物である。これにバネや磁石を組み合わせても良い。
【００２４】
上記回動機構部分の構造は上記以外の変形体も可能であり、したがってそれらも本発明の特許請求の範囲に抵触する限りに於いては本発明の権利侵害とみなされるものと了解されたい。
【図面の簡単な説明】
【００２５】
【図１】本発明の実施例のフロント部の斜視図
【図２】図１の正面図
【図３】図１の平面図
【図４】図１の背面図
【図５】従来の眼鏡の平面図
【図６】本発明の眼鏡の平面図
【図７】本発明の実施例の説明用側面図
【図８】本発明の実施例の説明用正面図
【図９】図８の説明用背面図
【図１０】図８，９の変化例平面図
【図１１】図８，９の変化例平面図
【図１２】図１１の正面図
【図１３】本発明の実施例の説明用正面図
【図１４】本発明の実施例の説明用要部斜視図
【符号の説明】
【００２６】
１０  眼鏡フロント部
２０  レンズ
３０  テンプル
４０  回動フレーム
４４  突起
５０  ブリッジ
６０  鼻パッド
７０  バネ
【図１】
2006293158.tif 000003
【図２】
2006293158.tif 000004
【図３】
2006293158.tif 000005
【図４】
2006293158.tif 000006
【図５】
2006293158.tif 000007
【図６】
2006293158.tif 000008
【図７】
2006293158.tif 000009
【図８】
2006293158.tif 000010
【図９】
2006293158.tif 000011
【図１０】
2006293158.tif 000012
【図１１】
2006293158.tif 000013
【図１２】
2006293158.tif 000014
【図１３】
2006293158.tif 000015
【図１４】
2006293158.tif 000016